(57)【特許請求の範囲】
【請求項１】
システム帯域幅を複数の帯域に分割したサブバンド毎に、無線基地局から送信された信号の通信品質を算出する通信端末であって、
無線リソースの単位であるリソースブロックのシステム帯域全体における数と、該システム帯域全体におけるリソースブロック数に応じてあらかじめ設定された前記サブバンド当たりのリソースブロック数とに基づいて、前記サブバンド当たりのリソースブロック数よりも少ないリソースブロック数からなるサブバンドである小サブバンドがあるかどうかを判断する判断部と、
前記サブバンド毎に、前記無線基地局から送信されてきた信号に含まれるリファレンスシグナルを用いて、該信号の雑音電力を算出する雑音電力算出部と、
前記サブバンド毎に、前記リファレンスシグナルと前記雑音電力算出部が算出した雑音電力とを用いて、前記信号の信号電力を算出する信号電力算出部と、
前記サブバンド毎に、前記雑音電力と前記信号電力とに基づいて、通信路容量を算出する通信路容量算出部と、
前記通信路容量に基づいて、ＣＱＩ（Ｃｈａｎｎｅｌ  Ｑｕａｌｉｔｙ  Ｉｎｆｏｒｍａｔｉｏｎ）を前記無線基地局へ送信するＣＱＩ送信部とを有し、
前記雑音電力算出部は、前記判断部が前記小サブバンドがあると判断した場合、該小サブバンドと該小サブバンドに隣接するサブバンドである隣接サブバンドとに含まれるリファレンスシグナルを用いて、前記雑音電力を合成雑音電力として算出し、
前記信号電力算出部は、前記判断部が前記小サブバンドがあると判断した場合、該小サブバンドと前記隣接サブバンドとに含まれるリファレンスシグナルと前記合成雑音電力とを用いて、前記信号電力を合成信号電力として算出し、
前記通信路容量算出部は、前記合成雑音電力と前記合成信号電力とに基づいて合成通信路容量を算出し、該合成通信路容量と前記隣接サブバンドにおいて算出した通信路容量とに基づいて前記小サブバンドにおける通信路容量を算出する通信端末。
【請求項２】
請求項１に記載の通信端末において、
前記通信路容量算出部は、前記雑音電力と前記信号電力とに基づいてＳＮＲ（Ｓｉｇｎａｌ  ｔｏ  Ｎｏｉｓｅ  Ｒａｔｉｏ）を算出し、該ＳＮＲに基づいて前記通信路容量を算出し、前記合成雑音電力と前記合成信号電力とに基づいて合成ＳＮＲを算出し、該合成ＳＮＲに基づいて前記合成通信路容量を算出することを特徴とする通信端末。
【請求項３】
請求項１に記載の通信端末において、
前記雑音電力算出部は、前記リファレンスシグナルのＺＦ（Ｚｅｒｏ  Ｆｏｒｃｉｎｇ）値を用いて、前記雑音電力と前記合成雑音電力とを算出し、
前記信号電力算出部は、前記リファレンスシグナルのＺＦ値と前記雑音電力とを用いて前記信号電力を算出し、前記リファレンスシグナルのＺＦ値と前記合成雑音電力とを用いて前記合成信号電力を算出することを特徴とする通信端末。
【請求項４】
請求項１に記載の通信端末において、
ＬＴＥ（Ｌｏｎｇ  Ｔｅｒｍ  Ｅｖｏｌｕｔｉｏｎ）の規格で動作することを特徴とする通信端末。
【請求項５】
システム帯域幅を複数の帯域に分割したサブバンド毎に、無線基地局から通信端末へ送信された信号の通信品質を算出する通信品質算出方法であって、
無線リソースの単位であるリソースブロックのシステム帯域全体における数と、該システム帯域全体におけるリソースブロック数に応じてあらかじめ設定された前記サブバンド当たりのリソースブロック数とに基づいて、前記サブバンド当たりのリソースブロック数よりも少ないリソースブロック数からなるサブバンドである小サブバンドがあるかどうかを判断する処理と、
前記サブバンド毎に、前記無線基地局から前記通信端末へ送信された信号に含まれるリファレンスシグナルを用いて、該信号の雑音電力を算出する処理と、
前記サブバンド毎に、前記リファレンスシグナルと前記雑音電力とを用いて、前記信号の信号電力を算出する処理と、
前記サブバンド毎に、前記雑音電力と前記信号電力とに基づいて、通信路容量を算出する処理と、
前記小サブバンドがあると判断した場合、該小サブバンドと該小サブバンドに隣接するサブバンドである隣接サブバンドとに含まれるリファレンスシグナルを用いて、前記雑音電力を合成雑音電力として算出する処理と、
前記小サブバンドがあると判断した場合、該小サブバンドと前記隣接サブバンドとに含まれるリファレンスシグナルと前記合成雑音電力とを用いて、前記信号電力を合成信号電力として算出する処理と、
前記合成雑音電力と前記合成信号電力とに基づいて、合成通信路容量を算出する処理と、
前記合成通信路容量と前記隣接サブバンドにおいて算出した通信路容量とに基づいて、前記小サブバンドにおける通信路容量を算出する処理と、
前記通信路容量に基づいて、ＣＱＩ（Ｃｈａｎｎｅｌ  Ｑｕａｌｉｔｙ  Ｉｎｆｏｒｍａｔｉｏｎ）を前記通信端末から前記無線基地局へ送信する処理とを有する通信品質算出方法。
【請求項６】
請求項５に記載の通信品質算出方法において、
前記雑音電力と前記信号電力とに基づいてＳＮＲ（Ｓｉｇｎａｌ  ｔｏ  Ｎｏｉｓｅ  Ｒａｔｉｏ）を算出する処理と、
前記ＳＮＲに基づいて前記通信路容量を算出する処理と、
前記合成雑音電力と前記合成信号電力とに基づいて合成ＳＮＲを算出する処理と、
前記合成ＳＮＲに基づいて前記合成通信路容量を算出する処理とを有することを特徴とする通信品質算出方法。
【請求項７】
請求項５に記載の通信品質算出方法において、
前記リファレンスシグナルのＺＦ（Ｚｅｒｏ  Ｆｏｒｃｉｎｇ）値を用いて、前記雑音電力と前記合成雑音電力とを算出する処理と、
前記リファレンスシグナルのＺＦ値と前記雑音電力とを用いて前記信号電力を算出する処理と、
前記リファレンスシグナルのＺＦ値と前記合成雑音電力とを用いて前記合成信号電力を算出する処理とを有することを特徴とする通信品質算出方法。
【請求項８】
システム帯域幅を複数の帯域に分割したサブバンド毎に、無線基地局から送信された信号の通信品質を算出する通信端末に、
無線リソースの単位であるリソースブロックのシステム帯域全体における数と、該システム帯域全体におけるリソースブロック数に応じてあらかじめ設定された前記サブバンド当たりのリソースブロック数とに基づいて、前記サブバンド当たりのリソースブロック数よりも少ないリソースブロック数からなるサブバンドである小サブバンドがあるかどうかを判断する手順と、
前記サブバンド毎に、前記無線基地局から送信されてきた信号に含まれるリファレンスシグナルを用いて、該信号の雑音電力を算出する手順と、
前記サブバンド毎に、前記リファレンスシグナルと前記雑音電力とを用いて、前記信号の信号電力を算出する手順と、
前記サブバンド毎に、前記雑音電力と前記信号電力とに基づいて、通信路容量を算出する手順と、
前記小サブバンドがあると判断した場合、該小サブバンドと該小サブバンドに隣接するサブバンドである隣接サブバンドとに含まれるリファレンスシグナルを用いて、前記雑音電力を合成雑音電力として算出する手順と、
前記小サブバンドがあると判断した場合、該小サブバンドと前記隣接サブバンドとに含まれるリファレンスシグナルと前記合成雑音電力とを用いて、前記信号電力を合成信号電力として算出する手順と、
前記合成雑音電力と前記合成信号電力とに基づいて、合成通信路容量を算出する処理と、
前記合成通信路容量と前記隣接サブバンドにおいて算出した通信路容量とに基づいて、前記小サブバンドにおける通信路容量を算出する手順と、
前記通信路容量に基づいて、ＣＱＩ（Ｃｈａｎｎｅｌ  Ｑｕａｌｉｔｙ  Ｉｎｆｏｒｍａｔｉｏｎ）を前記無線基地局へ送信する手順とを実行させるためのプログラム。
【請求項９】
請求項８に記載のプログラムにおいて、
前記雑音電力と前記信号電力とに基づいてＳＮＲ（Ｓｉｇｎａｌ  ｔｏ  Ｎｏｉｓｅ  Ｒａｔｉｏ）を算出する手順と、
前記ＳＮＲに基づいて前記通信路容量を算出する手順と、
前記合成雑音電力と前記合成信号電力とに基づいて合成ＳＮＲを算出する手順と、
前記合成ＳＮＲに基づいて前記合成通信路容量を算出する手順とを実行させるためのプログラム。
【請求項１０】
請求項８に記載のプログラムにおいて、
前記リファレンスシグナルのＺＦ（Ｚｅｒｏ  Ｆｏｒｃｉｎｇ）値を用いて、前記雑音電力と前記合成雑音電力とを算出する手順と、
前記リファレンスシグナルのＺＦ値と前記雑音電力とを用いて前記信号電力を算出する手順と、
前記リファレンスシグナルのＺＦ値と前記合成雑音電力とを用いて前記合成信号電力を算出する手順とを実行させるためのプログラム。
【発明の詳細な説明】
【技術分野】
【０００１】
本発明は、無線通信を行う通信端末、通信端末における通信品質算出方法およびプログラムに関する。
【背景技術】
【０００２】
近年、３ＧＰＰ（３ｒｄ  Ｇｅｎｅｒａｔｉｏｎ  Ｐａｒｔｎｅｒｓｈｉｐ  Ｐｒｏｊｅｃｔ）のＲｅｌ８の仕様としてＬＴＥ（Ｌｏｎｇ  Ｔｅｒｍ  Ｅｖｏｌｕｔｉｏｎ）の検討が進められている（例えば、非特許文献１参照。）。【０００３】
このＬＴＥでは、通信端末へのデータ転送効率を高めるため、無線基地局から通信端末への下りチャネルの通信品質を通信端末にて測定（算出）し、その結果を品質情報ＣＱＩ（Ｃｈａｎｎｅｌ  Ｑｕａｌｉｔｙ  Ｉｎｆｏｒｍａｔｉｏｎ）として、通信端末から無線基地局へ送信（報告）している。【０００４】
ここで、ＬＴＥでは広帯域を使用しているため、システム帯域幅を複数の帯域（サブバンド）に分割し、そのサブバンド毎に通信品質を測定して報告している。これより、無線基地局が通信品質の良いリソースを選択して効率よくデータ送信を行えるようにしている。【０００５】
なお、非特許文献１に記載されているように、ａｐｅｒｉｏｄｉｃ  ＣＱＩの場合、サブバンド当たりのリソースブロック数は、システム帯域全体におけるリソースブロック数に応じてあらかじめ決められている。ここで、リソースブロックとは、無線リソースを所定の大きさに分割した単位ブロックである。【０００６】
図１は、システム帯域全体におけるリソースブロック数とサブバンド当たりのリソースブロック数との対応付けを示す図である。この対応付けは、非特許文献１のＴａｂｌｅ  ７．２．１−３に記載されたものである。【０００７】
図１に示すように、システム帯域全体におけるリソースブロック数と、サブバンド当たりのリソースブロック数とは、あらかじめ対応付けられている。例えば、システム帯域全体におけるリソースブロック数が２５である場合、サブバンド当たりのリソースブロック数は４となる。
【先行技術文献】
【非特許文献】
【０００８】
【非特許文献１】３ＧＰＰ  ＴＳ３６．２１３  Ｖ８．７．０  （２００９−０５）
【発明の概要】
【発明が解決しようとする課題】
【０００９】
しかしながら、システム帯域全体におけるリソースブロック数によっては、対応付けられたサブバンド当たりのリソースブロック数よりも少ない数のリソースブロックからなるサブバンドが存在する場合もある。【００１０】
図２は、システム帯域幅が５ＭＨzであり、システム帯域全体におけるリソースブロック数が２５である場合のサブバンドの配置の一例を示す図である。【００１１】
図２に示したサブバンドの配置において、システム帯域全体におけるリソースブロック数が２５である。図１に示した対応付けから、サブバンド当たりのリソースブロック数は４となる。【００１２】
したがって、図２に示すように、サブバンド０〜５までのそれぞれは、４つのリソースブロックから構成されるが、サブバンド６は１つ（２５を４で割り算した余りの数）のリソースから構成される。つまり、サブバンド６のリソースブロック数がサブバンド０〜５それぞれのリソースブロック数よりも少なくなる。【００１３】
このようにサブバンドに含まれるリソースブロック数が少なくなってしまうと、リソースブロックに含まれるリファレンスシグナルの数が当該サブバンドにおいて少なくなってしまう。その結果、リファレンスシグナルを用いた通信品質の測定精度が劣化してしまうという問題点がある。【００１４】
本発明の目的は、上述した課題を解決する通信端末、通信品質算出方法およびプログラムを提供することである。
【課題を解決するための手段】
【００１５】
本発明の通信端末は、
システム帯域幅を複数の帯域に分割したサブバンド毎に、無線基地局から送信された信号の通信品質を算出する通信端末であって、
無線リソースの単位であるリソースブロックのシステム帯域全体における数と、該システム帯域全体におけるリソースブロック数に応じてあらかじめ設定された前記サブバンド当たりのリソースブロック数とに基づいて、前記サブバンド当たりのリソースブロック数よりも少ないリソースブロック数からなるサブバンドである小サブバンドがあるかどうかを判断する判断部と、
前記サブバンド毎に、前記無線基地局から送信されてきた信号に含まれるリファレンスシグナルを用いて、該信号の雑音電力を算出する雑音電力算出部と、
前記サブバンド毎に、前記リファレンスシグナルと前記雑音電力算出部が算出した雑音電力とを用いて、前記信号の信号電力を算出する信号電力算出部と、
前記サブバンド毎に、前記雑音電力と前記信号電力とに基づいて、通信路容量を算出する通信路容量算出部と、
前記通信路容量に基づいて、ＣＱＩ（Ｃｈａｎｎｅｌ  Ｑｕａｌｉｔｙ  Ｉｎｆｏｒｍａｔｉｏｎ）を前記無線基地局へ送信するＣＱＩ送信部とを有し、
前記雑音電力算出部は、前記判断部が前記小サブバンドがあると判断した場合、該小サブバンドと該小サブバンドに隣接するサブバンドである隣接サブバンドとに含まれるリファレンスシグナルを用いて、前記雑音電力を合成雑音電力として算出し、
前記信号電力算出部は、前記判断部が前記小サブバンドがあると判断した場合、該小サブバンドと前記隣接サブバンドとに含まれるリファレンスシグナルと前記合成雑音電力とを用いて、前記信号電力を合成信号電力として算出し、
前記通信路容量算出部は、前記合成雑音電力と前記合成信号電力とに基づいて合成通信路容量を算出し、該合成通信路容量と前記隣接サブバンドにおいて算出した通信路容量とに基づいて前記小サブバンドにおける通信路容量を算出する。【００１６】
また、本発明の通信品質算出方法は、
システム帯域幅を複数の帯域に分割したサブバンド毎に、無線基地局から通信端末へ送信された信号の通信品質を算出する通信品質算出方法であって、
無線リソースの単位であるリソースブロックのシステム帯域全体における数と、該システム帯域全体におけるリソースブロック数に応じてあらかじめ設定された前記サブバンド当たりのリソースブロック数とに基づいて、前記サブバンド当たりのリソースブロック数よりも少ないリソースブロック数からなるサブバンドである小サブバンドがあるかどうかを判断する処理と、
前記サブバンド毎に、前記無線基地局から前記通信端末へ送信された信号に含まれるリファレンスシグナルを用いて、該信号の雑音電力を算出する処理と、
前記サブバンド毎に、前記リファレンスシグナルと前記雑音電力とを用いて、前記信号の信号電力を算出する処理と、
前記サブバンド毎に、前記雑音電力と前記信号電力とに基づいて、通信路容量を算出する処理と、
前記小サブバンドがあると判断した場合、該小サブバンドと該小サブバンドに隣接するサブバンドである隣接サブバンドとに含まれるリファレンスシグナルを用いて、前記雑音電力を合成雑音電力として算出する処理と、
前記小サブバンドがあると判断した場合、該小サブバンドと前記隣接サブバンドとに含まれるリファレンスシグナルと前記合成雑音電力とを用いて、前記信号電力を合成信号電力として算出する処理と、
前記合成雑音電力と前記合成信号電力とに基づいて、合成通信路容量を算出する処理と、
前記合成通信路容量と前記隣接サブバンドにおいて算出した通信路容量とに基づいて、前記小サブバンドにおける通信路容量を算出する処理と、
前記通信路容量に基づいて、ＣＱＩ（Ｃｈａｎｎｅｌ  Ｑｕａｌｉｔｙ  Ｉｎｆｏｒｍａｔｉｏｎ）を前記通信端末から前記無線基地局へ送信する処理とを有する。【００１７】
また、本発明のプログラムは、
システム帯域幅を複数の帯域に分割したサブバンド毎に、無線基地局から送信された信号の通信品質を算出する通信端末に実行させるためのプログラムであって、
無線リソースの単位であるリソースブロックのシステム帯域全体における数と、該システム帯域全体におけるリソースブロック数に応じてあらかじめ設定された前記サブバンド当たりのリソースブロック数とに基づいて、前記サブバンド当たりのリソースブロック数よりも少ないリソースブロック数からなるサブバンドである小サブバンドがあるかどうかを判断する手順と、
前記サブバンド毎に、前記無線基地局から送信されてきた信号に含まれるリファレンスシグナルを用いて、該信号の雑音電力を算出する手順と、
前記サブバンド毎に、前記リファレンスシグナルと前記雑音電力とを用いて、前記信号の信号電力を算出する手順と、
前記サブバンド毎に、前記雑音電力と前記信号電力とに基づいて、通信路容量を算出する手順と、
前記小サブバンドがあると判断した場合、該小サブバンドと該小サブバンドに隣接するサブバンドである隣接サブバンドとに含まれるリファレンスシグナルを用いて、前記雑音電力を合成雑音電力として算出する手順と、
前記小サブバンドがあると判断した場合、該小サブバンドと前記隣接サブバンドとに含まれるリファレンスシグナルと前記合成雑音電力とを用いて、前記信号電力を合成信号電力として算出する手順と、
前記合成雑音電力と前記合成信号電力とに基づいて、合成通信路容量を算出する処理と、
前記合成通信路容量と前記隣接サブバンドにおいて算出した通信路容量とに基づいて、前記小サブバンドにおける通信路容量を算出する手順と、
前記通信路容量に基づいて、ＣＱＩ（Ｃｈａｎｎｅｌ  Ｑｕａｌｉｔｙ  Ｉｎｆｏｒｍａｔｉｏｎ）を前記無線基地局へ送信する手順とを実行させる。
【発明の効果】
【００１８】
以上説明したように本発明においては、通信品質の測定精度の劣化を防ぐことができる。
【図面の簡単な説明】
【００１９】
【図１】システム帯域全体におけるリソースブロック数とサブバンド当たりのリソースブロック数との対応付けを示す図である。
【図２】システム帯域幅が５ＭＨzであり、システム帯域全体におけるリソースブロック数が２５である場合のサブバンドの配置の一例を示す図である。
【図３】本発明の通信端末の実施の一形態を示す図である。
【図４】リソースブロック内のリファレンスシグナルの配置の一例を示す図である。
【図５】本形態における通信品質算出方法を説明するためのフローチャートである。
【図６】サブバンド５およびサブバンド６における、ＳＮＲおよび通信路容量の関係を示す図である。
【発明を実施するための形態】
【００２０】
以下に、本発明の実施の形態について図面を参照して説明する。
【００２１】
図３は、本発明の通信端末の実施の一形態を示す図である。
【００２２】
本形態における通信端末１００には図３に示すように、判断部１１０と、雑音電力算出部１２０と、信号電力算出部１３０と、通信路容量算出部１４０と、ＣＱＩ送信部１５０とが設けられている。
【００２３】
判断部１１０は、リソースブロックのシステム帯域全体における数とサブバンド当たりのリソースブロック数とに基づいて、サブバンド当たりのリソースブロック数よりも少ないリソースブロック数からなるサブバンド（小サブバンド）があるかどうかを判断する。ここで、サブバンド当たりのリソースブロック数は、図１に示したように、システム帯域全体におけるリソースブロック数に応じてあらかじめ設定されている。また、図２を用いて説明したように、判断部１１０は、システム帯域全体におけるリソースブロック数をサブバンド当たりのリソースブロック数で割り算した際、割り切れる場合、サブバンド当たりのリソースブロック数よりも少ないリソースブロック数からなるサブバンドは存在しないため、小サブバンドはないと判断する。一方、判断部１１０は、システム帯域全体におけるリソースブロック数をサブバンド当たりのリソースブロック数で割り算した際、割り切れない（余りがある）場合、サブバンド当たりのリソースブロック数よりも少ないリソースブロック数からなるサブバンドが存在するため、小サブバンドはあると判断する。図２に示した例では、サブバンド６が小サブバンドとなる。
【００２４】
雑音電力算出部１２０は、サブバンド毎に、通信端末１００と通信を行っている無線基地局から送信されてきた信号に含まれるリファレンスシグナルを用いて、信号の雑音電力を算出する。また、雑音電力算出部１２０は、判断部１１０が小サブバンドがあると判断した場合、小サブバンドと小サブバンドに隣接するサブバンド（隣接サブバンド）とに含まれるリファレンスシグナルを用いて、信号の雑音電力を合成雑音電力として算出する。図２に示した例では、小サブバンドであるサブバンド６に隣接するサブバンド５が隣接サブバンドとなる。
【００２５】
ここで、リファレンスシグナルについて説明する。
【００２６】
図４は、リソースブロック内のリファレンスシグナルの配置の一例を示す図である。
【００２７】
図４に示すようにリファレンスシグナルは、リソースブロック内の０番目および４番目のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）シンボルに、６サブキャリア毎に配置される。
【００２８】
信号電力算出部１３０は、サブバンド毎に、通信端末１００と通信を行っている無線基地局から送信されてきた信号に含まれるリファレンスシグナルと雑音電力算出部１２０が算出した雑音電力とを用いて、信号の信号電力を算出する。また、信号電力算出部１３０は、判断部１１０が小サブバンドがあると判断した場合、小サブバンドと小サブバンドに隣接するサブバンド（隣接サブバンド）とに含まれるリファレンスシグナルと雑音電力算出部１２０が算出した合成雑音電力とを用いて、信号の信号電力を合成信号電力として算出する。
【００２９】
通信路容量算出部１４０は、サブバンド毎に、雑音電力算出部１２０が算出した雑音電力と信号電力算出部１３０が算出した信号電力とに基づいて、無線基地局と通信端末１００との間で確実に伝送できる情報の許容量である通信路容量を算出する。また、通信路容量算出部１４０は、雑音電力算出部１２０が算出した合成雑音電力と信号電力算出部１３０が算出した合成信号電力とに基づいて合成通信路容量を算出する。また、通信路容量算出部１４０は、算出した合成通信路容量と隣接サブバンドにおいて算出した通信路容量とに基づいて小サブバンドにおける通信路容量を算出する。
【００３０】
ＣＱＩ送信部１５０は、通信路容量算出部１４０が算出した通信路容量を、ＣＱＩ（Ｃｈａｎｎｅｌ  Ｑｕａｌｉｔｙ  Ｉｎｆｏｒｍａｔｉｏｎ）として無線基地局へ送信する。
【００３１】
以下に、本形態における通信品質算出方法について説明する。通信品質算出は各リソースブロックに含まれるリファレンスシグナルを利用して、雑音電力値と信号電力値とからＳＮＲ（Ｓｉｇｎａｌ  ｔｏ  Ｎｏｉｓｅ  Ｒａｔｉｏ）を計算し、その計算されたＳＮＲからさらに通信路容量を計算する。なお、サブバンドの配置が、図２に示したものである場合を例に挙げて説明する。
【００３２】
図５は、本形態における通信品質算出方法を説明するためのフローチャートである。
【００３３】
まず、判断部１１０にて、リソースブロックのシステム帯域全体における数とサブバンド当たりのリソースブロック数とに基づいて、小サブバンドがあるかどうかが、ステップ１にて判断される。この判断基準は、上述したものを使用する。
【００３４】
ステップ１にて小サブバンドがあると判断された場合、雑音電力算出部１２０にて、小サブバンド以外のサブバンド毎に、無線基地局から送信されてきた信号に含まれるリファレンスシグナルを用いて、ステップ２にて信号の雑音電力が算出される。具体的には、例えば、受信したリファレンスシグナルにリファレンスシグナルの共役を乗じたＺｅｒｏ  Ｆｏｒｃｉｎｇ値（ＺＦ値）であるｈＺＦを用いて算出される。ここで、ｈＺＦ（ｍ）は、サブバンド中に含まれる０番目のＯＦＤＭシンボルに含まれるｍ（ｍは自然数）番目のリファレンスシグナルのＺＦ値である。
【００３５】
例えば、サブバンド５の雑音電力σ２ｅｓｔ，１は、サブバンド５の０番目のＯＦＤＭシンボルに含まれるリファレンスシグナルの数が８個（２個×４リソースブロック）であるため、（式１）によって算出される。
【００３６】
【数１】
0005482794.tif 000002
続いて、信号電力算出部１３０にて、小サブバンド以外のサブバンド毎に、無線基地局から送信されてきた信号に含まれるリファレンスシグナルと、ステップ２にて算出された雑音電力とを用いて、ステップ３にて信号の信号電力が算出される。
【００３７】
例えば、サブバンド５の信号電力Ｓｅｓｔ，１は、（式２）によって算出される。
【００３８】
【数２】
0005482794.tif 000003
続いて、通信路容量算出部１４０にて、小サブバンド以外のサブバンド毎に、ステップ２にて算出された雑音電力と、ステップ３にて算出された信号電力とを用いて、信号のＳＮＲ値が算出される。
【００３９】
例えば、サブバンド５のＳＮＲ値ＳＮＲ１は、（式３）によって算出される。
【００４０】
【数３】
0005482794.tif 000004
すると、ステップ４にて通信路容量算出部１４０によって、小サブバンド以外のサブバンド毎に、ＳＮＲ値を用いて、通信路容量が算出される。
【００４１】
例えば、サブバンド５の通信路容量Ｃ１は、（式４）によって算出される。
【００４２】
【数４】
0005482794.tif 000005
ここで、小サブバンドであるサブバンド６についても同様の計算を行う場合を考える。
【００４３】
サブバンド６の雑音電力σ２ｅｓｔ，３は、サブバンド６の０番目のＯＦＤＭシンボルに含まれるリファレンスシグナルの数が２個（２個×１リソースブロック）であるため、（式５）によって算出される。
【００４４】
【数５】
0005482794.tif 000006
続いて、サブバンド６の信号電力Ｓｅｓｔ，３は、（式６）によって算出される。
【００４５】
【数６】
0005482794.tif 000007
続いて、サブバンド５のＳＮＲ値ＳＮＲ３は、（式７）によって算出される。
【００４６】
【数７】
0005482794.tif 000008
すると、サブバンド６の通信路容量Ｃ３は、（式８）によって算出される。
【００４７】
【数８】
0005482794.tif 000009
このような方法で小サブバンドであるサブバンド６の通信路容量を算出してしまうと、雑音電力σ２ｅｓｔ，３の計算に使用されているサンプル数が少ないため、瞬時変動の影響を受けやすく、通信路容量の推定精度が劣化してしまうことが予想される。
【００４８】
そこで、小サブバンドであるサブバンド６の通信路容量の計算を行う際、隣接する隣接サブバンドであるサブバンド５の帯域を使用することによりサンプル数を増やして行う。
【００４９】
図６は、サブバンド５およびサブバンド６における、ＳＮＲおよび通信路容量の関係を示す図である。
【００５０】
図６に示すように、サブバンド６における通信路容量Ｃ３を求めるために、サブバンド５とサブバンド６とのＳＮＲ（ＳＮＲ２）および通信路容量（Ｃ２）と、サブバンド５のＳＮＲ（ＳＮＲ１）および通信路容量（Ｃ１）とを用いる。以下に、その詳細を説明する。
【００５１】
雑音電力算出部１２０にて、小サブバンドであるサブバンド６に含まれるリファレンスシグナルと隣接サブバンドであるサブバンド５に含まれるリファレンスシグナルとを用いて、ステップ５にて信号の雑音電力が合成雑音電力σ２ｅｓｔ，２として算出される。
【００５２】
この合成雑音電力σ２ｅｓｔ，２は、サブバンド５の０番目のＯＦＤＭシンボルに含まれるリファレンスシグナルの数が８個であり、サブバンド６の０番目のＯＦＤＭシンボルに含まれるリファレンスシグナルの数が２個であることから、合計のリファレンスシグナルの数が１０個（８個＋２個）であるため、（式９）によって算出される。
【００５３】
【数９】
0005482794.tif 000010
続いて、信号電力算出部１３０にて、サブバンド６に含まれるリファレンスシグナルとサブバンド５に含まれるリファレンスシグナルとステップ５にて算出された合成雑音電力σ２ｅｓｔ，２とを用いて、ステップ６にて信号の信号電力が合成信号電力Ｓｅｓｔ，２として（式１０）によって算出される。
【００５４】
【数１０】
0005482794.tif 000011
続いて、通信路容量算出部１４０にて、ステップ５にて算出された合成雑音電力σ２ｅｓｔ，２と、ステップ６にて算出された合成信号電力Ｓｅｓｔ，２とを用いて、信号のＳＮＲ値が合成ＳＮＲ値ＳＮＲ２として（式１１）によって算出される。
【００５５】
【数１１】
0005482794.tif 000012
すると、ステップ７にて通信路容量算出部１４０によって、合成ＳＮＲ値ＳＮＲ２を用いて、通信路容量が合成通信路容量Ｃ２として（式１２）によって算出される。
【００５６】
【数１２】
0005482794.tif 000013
そして、ステップ４で算出されたサブバンド５の通信路容量Ｃ１と、ステップ７にて算出された合成通信路容量Ｃ２とに基づいて、ステップ８にてサブバンド６の通信路容量Ｃ３が通信路容量算出部１４０にて算出される。
【００５７】
このとき、合成通信路容量Ｃ２は、サブバンド５の通信路容量Ｃ１とサブバンド６の通信路容量Ｃ３との平均値であると考えられるため、測定に使用したリファレンスシグナル数を考慮して、（式１３）のように考えられる。
【００５８】
【数１３】
0005482794.tif 000014
したがって、サブバンド６の通信路容量Ｃ３は、（式１４）によって求められる。
【００５９】
【数１４】
0005482794.tif 000015
その後、算出された各サブバンドにおける通信路容量を示すＣＱＩが、ステップ９にてＣＱＩ送信部１５０から無線基地局へ送信される。
【００６０】
一方、ステップ１にて、小サブバンドがないと判断された場合は、雑音電力算出部１２０にて、サブバンド毎に、無線基地局から送信されてきた信号に含まれるリファレンスシグナルを用いて、ステップ１０にて信号の雑音電力が算出される。
【００６１】
続いて、信号電力算出部１３０にて、サブバンド毎に、無線基地局から送信されてきた信号に含まれるリファレンスシグナルとステップ１０にて算出された雑音電力とを用いて、ステップ１１にて信号の信号電力が算出される。
【００６２】
すると、通信路容量算出部１４０にて、サブバンド毎に、ステップ１０にて算出された雑音電力と、ステップ１１にて算出された信号電力とを用いて、信号のＳＮＲ値が算出され、算出されたＳＮＲ値を用いて、ステップ１２にて通信路容量が算出される。
【００６３】
そして、ステップ１２にて算出された通信路容量を示すＣＱＩは、ステップ９にてＣＱＩ送信部１５０から無線基地局へ送信される。
【００６４】
上述したように本発明においては、ＳＮＲ推定に使用するリファレンスシグナルの数が直接計算する場合と比較して多いため、リファレンスシグナルの受信値の瞬時変動の影響を受けにくく、精度良く測定することができる。
【００６５】
なお、上述した通信端末１００に設けられた各構成要素が行う処理は、目的に応じて作製された論理回路で行うようにしても良い。また、処理内容を記述したプログラムを通信端末１００にて読取可能な記録媒体に記録し、この記録媒体に記録されたプログラムを通信端末１００に読み込ませ、実行するものであっても良い。通信端末１００にて読取可能な記録媒体とは、フロッピー（登録商標）ディスク、光磁気ディスク、ＤＶＤ、ＣＤなどの移設可能な記録媒体の他、通信端末１００内に内蔵されたＲＯＭ、ＲＡＭ等のメモリやＨＤＤ等を指す。この記録媒体に記録されたプログラムは、通信端末１００内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００６６】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００６７】
この出願は、２００９年８月２４日に出願された日本出願特願２００９−１９２９３０を基礎とする優先権を主張し、その開示の全てをここに取り込む。
【図１】
0005482794.tif 000016
【図２】
0005482794.tif 000017
【図３】
0005482794.tif 000018
【図４】
0005482794.tif 000019
【図５】
0005482794.tif 000020
【図６】
0005482794.tif 000021